(57)【要約】      （修正有）【課題】無人ヘリコプター本体と薬剤散布装置を少ない水量で、洗浄できる洗浄装置を提供する。【解決手段】ヘリコプター本体を載置する受け皿２と、該受け皿に着脱可能に取り付けられるフィルター内蔵ポンプ３と、該ポンプに連設し洗浄水を噴射するノズル４と、からなり、前記ヘリコプター本体及び薬剤装置を洗浄した洗浄水を前記受け皿で回収して循環する。また、前記受け皿は、可撓性を有する合成樹脂シートと、該シートを矩形の皿形状に組立てる補強部材とからなる。【選択図】図１
0003175674.tif 000002
【実用新案登録請求の範囲】
【請求項１】
無人ヘリコプター本体及び薬剤散布装置を洗浄する洗浄装置であって、該ヘリコプター本体を載置する受け皿と、該受け皿に着脱可能に取り付けられるフィルター内蔵ポンプと、該ポンプに連設し洗浄水を噴射するノズルと、からなり、前記ヘリコプター本体及び薬剤散布装置を洗浄した洗浄水を前記受け皿で回収して循環することを特徴とする洗浄装置。
【請求項２】
前記受け皿は、可撓性を有する合成樹脂シートと、該シートを矩形の皿形状に組立てる補強部材とからなることを特徴とする請求項１に記載の洗浄装置。
【考案の詳細な説明】
【技術分野】
【０００１】
本考案は、洗浄装置であって、特に無人で薬剤などを散布するヘリコプターの機体及び洗浄装置の洗浄に適した洗浄装置に関するものである。
【背景技術】
【０００２】
近年、小規模な面積の農地へ害虫駆除用薬剤を散布するために、遠隔操作できるヘリコプターを利用して薬剤を散布する技術が広く使われている（特許文献１参照。）。
【０００３】
しかしながら、上記の散布作業を行なった後で、回収したヘリコプターや薬剤散布装置に付着した薬剤を除去する技術に関しては何らの開示もないものであった。
【０００４】
これに対し、航空機機体表面に洗浄液または洗浄水を噴射するノズルを、多関節腕の先端に具備し、ノズルを航空機機体表面に追従走査するよう制御する多関節型ロボットを使用した航空機機体洗浄装置が提案されている（特許文献２参照。）。
【先行技術文献】
【特許文献】
【０００５】
【特許文献１】特開平０８−１６３９４６号公報
【特許文献１】特開平０８−１９８１９８号公報
【考案の概要】
【考案が解決しようとする課題】
【０００６】
しかしながら、上記特許文献２に提案されている技術は、大型の航空機機体の洗浄作業を合理化する技術であり、専用の施設内に設置する必要があるもので、上記の小型ヘリコプターを洗浄するためには初期投資が大きく、採算面において問題があった。しかも農薬などの薬剤を使用した後での機体洗浄後の廃液処理に関しては何ら考慮されていないものであった。
【０００７】
上記の問題点に鑑み本考案者らは、簡単な構成で、可搬性に優れ、洗浄水の使用量が少なく、廃液処理が容易な洗浄装置を提供するに至った。
【課題を解決するための手段】
【０００８】
このため本考案の洗浄装置は、ヘリコプター本体を載置する受け皿と、該受け皿に着脱可能に取り付けられるフィルター内蔵ポンプと、該ポンプに連設し洗浄水を噴射するノズルと、からなり、前記ヘリコプター本体及び薬剤散布装置を洗浄した洗浄水を前記受け皿で回収して循環することを第一の特徴とする。
【０００９】
また、前記受け皿は、可撓性を有する合成樹脂製シートと、該シートを矩形の皿形状に組立てる補強部材とからなることを第二の特徴とする。
【００１０】
上記受け皿は、ヘリコプター本体を載置できる大きさであればよく、例えば幅９３０ｍｍ、長さ１３００ｍｍ、深さ１２０ｍｍの箱状に形成することが望ましい。
【考案の効果】
【００１１】
本考案に係る洗浄装置によれば、ヘリコプター本体を載置する受け皿と、該受け皿に着脱可能に取り付けられるフィルター内蔵ポンプと、該ポンプに連設し洗浄水を噴射するノズルとから構成されるため、極めて安価に製造することができ、またヘリコプター本体と洗浄装置の洗浄を行なう際に、少ない水使用量で作業できるという効果を有する。
【００１２】
また、洗浄後の洗浄水は受け皿内に保持されるため、外部に排出することなく容易に再処理できるという効果を有する。
【００１３】
しかも、前記受け皿は、可撓性を有する合成樹脂製シートと、該シートを矩形の皿形状に組立てる補強部材とからなり、補強部材を外して合成樹脂製シートを丸めることで、何処でも持ち運び可能であるという効果がある。
【図面の簡単な説明】
【００１４】
【図１】本考案に係る洗浄装置の一実施例を示す構成図である。
【図２】図１の一部拡大説明図である。
【図３】本考案に係る洗浄装置に無人ヘリコプターを載置した状態を示す図である。
【図４】本考案に係る洗浄装置の他の実施例を示す構成図である。
【考案を実施するための形態】
【００１５】
以下、本考案を実施例を示す図面を参照しながら説明するが、本考案が本実施例に限定されないことは言うまでもない。図１は本考案の洗浄装置の一実施例を示す構成図、図２は図１の一部拡大説明図、図３は本考案に係る洗浄装置に無人ヘリコプターを載置した状態を示す図、図４は本考案に係る洗浄装置の他の実施例を示す構成図である。
【実施例】
【００１６】
図１、図２に示すように本考案の洗浄装置１は、合成樹脂製の受け皿２と、ポンプ３と、ポンプ３と連結するノズル４とから構成されており、ポンプ３は受け皿２の側板５に着脱自在に取り付けられる。
【００１７】
受け皿２は幅９３０ｍｍ、縦１３００ｍｍ、高さ１２０ｍｍの矩形皿形状にＦＲＰで形成されており軽量且つ防水性にすぐれ、ヘリコプター本体６を載置可能な強度を有している。
【００１８】
ポンプ３は、受け皿２の側板５に係止部７によって係合し着脱自在とされ、電源ケーブル８をヘリコプター本体６内の電源（図示せず）と接続して駆動する。尚、ポンプ３は給水口９を備えており受け皿２に投入する洗浄用水を吸引する。そしてこの給水口９には異物吸着用フィルター１０接続されており、ポンプ３によって吸引される洗浄用水に混入した異物を補足する。
【００１９】
ノズル４は、ポンプ３の排出口側１１に接続されており、受け皿２内でポンプ３で吸引された洗浄用水を噴射する。
【００２０】
上記の構成からなる本考案の洗浄装置の動作を図３に従って説明すると、農薬などの散布を完了した無人ヘリコプター本体６を、人手によって受け皿２内に載置する。この際、ヘリコプター本体６の脚部１２が受け皿２の略中央位置となるようにし、薬剤散布装置（図示せず）が受け皿２内に収まる状態にする。
【００２１】
次に、受け皿２の側板５の任意の場所に係止部７によってポンプ３を取り付け、電源ケーブル８のプラグ８Ａをヘリコプター本体６内のバッテリー（図示せず）と接続する。次いで、受け皿２内に洗浄用水１３をポンプ３の給水口９を越える高さまで投入する。この状態でポンプ３のスイッチをＯＮに入れてポンプ３を駆動させて洗浄用水１３を吸引すると共に、ノズル４を使用してヘリコプター本体６及び薬剤散布装置の洗浄を行なう。
【００２２】
ヘリコプター本体６及び薬剤散布装置の洗浄に使用した洗浄用澪図水は、受け皿２内に回収され、ポンプ３の駆動によって循環される。
【００２３】
図４は、本考案の装置を使用した、洗浄装置の他の実施例を示しており、とくに受け皿２の他の実施例を示している。図においてシート１４は可撓性を有する矩形状の合成樹脂シートであり、４辺を所定の幅折り込むことによって、矩形状の皿型に形成可能であり、この折込片１５に断面視Ｕ字形状の硬質プラスチック製補強材１６を挿入することによって受け皿２が形成される。
【００２４】
そして、上述したヘリコプター本体６の洗浄作業を終了して残った洗浄水の廃棄処理を終了すると、補強材１６を折込片１５から取り外し、シート１４を円筒状に巻くことによって解体することができ、容易に搬送できる。
【００２５】
以上の構成からなる本考案の洗浄装置は、ヘリコプター本体を載置する受け皿と、該受け皿に着脱可能に取り付けられるフィルター内蔵ポンプと、該ポンプに連設して洗浄水を噴射するノズルと、から構成されており、ヘリコプター本体及び薬剤散布装置を洗浄した洗浄水を前記受け皿で回収して循環するすることができる。
【符号の説明】
【００２６】
１                洗浄装置
２                受け皿
３                ポンプ
４                ノズル
５                側板
６                ヘリコプター本体
７                係止部
８                電源ケーブル
９                給水口
１０                フィルター
１１                排出口側
１２                脚部
１３                洗浄用水
１４                シート
１５                折込片
１６                補強材
【図１】
0003175674.tif 000003
【図２】
0003175674.tif 000004
【図３】
0003175674.tif 000005
【図４】
0003175674.tif 000006